(57)【要約】【課題】脱着式柱パレット及び棚の輸送効率の優位点はそのままに、また、脱着式でありながら、固定柱のような安定性を持ち、加えて工具などを必要とせず、簡単に脱着可能な柱パレット及び棚を提供する。【解決手段】柱３をポスト１内部への差し込み時、柱３と一体となっている振れ止メ３ａにより、柱３が末端の位置近くになると、ポスト１と柱３の隙間に入り込む構造となっている。柱３が末端に収まった状態のとき、隙間は最小限となるため、ほぼ所定の位置に柱３は自立している状態となる。次に、可動コマ２と斜板４は長穴に金具で連結されており、斜板４と同一角度でスライドする構造としている。連結されている可動コマ２は差し込まれた柱３の角部に対し垂直に当たりながら隙間を詰めていく、くさび構造により柱３を固定する仕組みとなっている。また可動コマの柱受け部は、柱の角部を確実に押さえるための、直角Ｖ型溝を上下に加工してある。【選択図】図４
2016003062.tif 000002
【特許請求の範囲】
【請求項１】
柱のロック機構で柱３をポスト１へ侵入する際、柱３と一体となっている振れ止め３ａは侵入し易いよう下部は斜め加工を施している。
また振れ止め３ａは、ポスト１上部の隙間を減らし、柱の隙間をこの段階で最小限に抑えている。
この時、可動コマ２と柱の間には隙間があり、柱に触れていない状態である。コマの背面は斜板になっていて、可動コマ２と斜板４は図３に示すように長穴に金具で連結されており、斜板４と同一角度でスライドする構造としている。
次に、下方へ押し下げるのと同時に、柱３に対し可動コマ２は垂直に当たりながら隙間を詰めていく、くさび構造により柱３を固定する仕組みとなっている。
また可動コマの柱受け部は柱の角部を確実に押さえるための、直角Ｖ型溝を上下に加工している。
このような柱のロック機構を特徴とする脱着式柱パレット。
【請求項２】
柱のロック機構で柱３をポスト１へ侵入する際、柱３と一体となっている振れ止め３ａは侵入し易いよう下部は斜め加工を施している。
また振れ止め３ａは、ポスト１上部の隙間を減らし、柱の隙間をこの段階で最小限に抑えている。
この時、可動コマ２と柱の間には隙間があり、柱に触れていない状態である。コマの背面は斜板になっていて、可動コマ２と斜板４は図３に示すように長穴に金具で連結されており、斜板４と同一角度でスライドする構造としている。
次に、下方へ押し下げるのと同時に、柱３に対し可動コマ２は垂直に当たりながら隙間を詰めていく、くさび構造により柱３を固定する仕組みとなっている。
また可動コマの柱受け部は柱の角部を確実に押さえるための、直角Ｖ型溝を上下に加工している。
このような柱のロック機構を特徴とする脱着式柱棚。
【発明の詳細な説明】
【技術分野】
【０００１】  この発明はパレット及び棚の脱着式柱の装着方式、受部構造に関する。
【背景技術】
【０００２】  従来より、パレットや保管棚などは、物流の用途で幅広く使用されその移動はフォークリフトなどを用いて運用されている。【０００３】  また繰り返し物流に使用される場合などは、輸送時の安定性は固定柱のものと比べやや劣るが、空の状態での輸送効率が優先され、柱は折畳式や脱着式が多く使用されている。【０００４】  一方保管棚としての多くは輸送を目的としないため、安定した固定柱が主流となっている。【０００５】しかし、既に柱及び桟などが分解可能となっているものもある。（例えば、特許文献１参照）
【先行技術文献】
【特許文献】
【特許文献１】特開２００１−１１４２８０号公報
【発明の概要】
【発明が解決しようとする課題】
【０００６】  保管棚としての使用用途であっても、それを購入する際、固定柱のものは輸送効率が低いため、その分、保管棚自体がコスト高となっている。【０００７】  従って、脱着式柱パレットの輸送効率の優位点はそのままに、また、脱着式でありながら固定柱のような振れのない安定性を持ち、加えて工具などを必要とせず、簡単に脱着可能な柱パレット及び棚の提供を目的とする。
【発明を解決するための手段】
【０００８】  このような目的を達成する脱着柱のロック機構は、柱の外径に対し、内径を広げたポスト内に差し込んだ際、柱と一体になっている振れ止めがポスト上部の隙間を減らし柱の隙間をこの段階で最小限に抑えている。
【０００９】さらに、ポスト下部の、斜板と連結した可動コマを下方向へ押し下げることにより、柱とポストの隙間を無くす、くさび構造により柱を固定する仕組みとなっている。
【発明の効果】
【００１０】  本発明は従来の脱着式、折畳式に対し、柱とポストの隙間を無くす構造上、輸送時においての揺れを抑え、内容物の品質の向上が可能になる。
【００１１】  また、保管用棚としても固定柱のような安定性と客先へのパレット納品時における物流コストが約１／３。従って、パレット使用者の空パレットの保管スペースも現状の１／３。
【００１２】  また、パレット及び棚使用者は本体への柱の接続は工具などを必要とせず、簡単に脱着作業が可能となる。
【００１３】  また、パレット及び棚使用者は本体と柱の分離構造のため、棚の高さを変更する場合、柱を交換、または切断することで、低コストでの実施が可能となる。
【発明を実施するための形態】
【００１４】  以下、本発明の脱着式柱パレット及び棚の実施の一形態について、図面を参照して説明する。
【００１５】組付手順として、図１は図２のように分離した柱を本体ベースへ組み付けた完成品である。
図３のポスト１内部へ柱３を差し込み可動コマ２を下方へと完全にロックする位置まで押し下げロック完了。
【００１６】ロック機構の詳細は、図４に示すように柱３と一体となっている振止メ３ａが柱がエンド端にセットされたとき、ポスト１内部に入り込み、枠と柱の隙間を最小限に抑えている。
【００１７】この時、可動コマ２と柱の間には隙間があり、柱に触れていない状態である。コマの背面は斜板になっていて、可動コマ２と斜板４は図３に示すように長穴に金具で連結されており、斜板４と同一角度でスライドする構造としている。
【００１８】次に、下方へ押し下げるのと同時に、柱３に対し可動コマ２は垂直に当たりながら隙間を詰めていく、くさび構造により柱３を固定する仕組みとなっている。
また可動コマの柱受け部は、柱の角部を確実に押さえるための、直角Ｖ型溝を上下に加工してある。
【図面の簡単な説明】
【００１９】
【図１】本発明の脱着式柱パレット及び棚の完成斜視図である。
【図２】本発明の脱着式柱パレット及び棚の本体と柱の組み付け前の状態の斜視図である。
【図３】本発明の脱着式柱パレット及び棚の柱部分、ポスト、可動コマ等の詳細部品の斜視図である。
【図４】本発明の脱着式柱パレット及び棚の柱部分、ポスト、可動コマ等の詳細部品の断面構造図及び作動図である。
【図５】本発明の脱着式柱パレット及び棚の段積み時の完成斜視図である。
【図６】本発明の脱着式柱パレット及び棚の柱を除く本体のみの段積み時の斜視図である。
【符号の説明】
【００２０】１・・・ポスト（柱の差し込み口）
２・・・可動コマ
２ａ・・・ロット（可動コマに連結）
２ｂ・・・取り付け金具（可動コマ用）
３・・・柱
３ａ・・・振れ止め（柱に固定）
４・・・背面板（斜板）
５・・・当て板（柱の底板）
６・・・足（段重ね時はポストと柱内部に差し込まれる）
６ａ・・・キャップ（半円形状、足と一体））
７・・・台枠（パレット本体枠）
８・・・桁（横）
９・・・桁（縦）
【図１】
2016003062.tif 000003
【図２】
2016003062.tif 000004
【図３】
2016003062.tif 000005
【図４】
2016003062.tif 000006
【図５】
2016003062.tif 000007
【図６】
2016003062.tif 000008